【手続補正書】
【提出日】平成18年8月10日(2006.8.10)
【手続補正１】
【補正対象書類名】明細書
【補正対象項目名】特許請求の範囲
【補正方法】変更
【補正の内容】
【特許請求の範囲】
【請求項１】  紙基材と化粧紙とを積層してなる所定幅の長尺シートからなる壁紙において、この壁紙の長手方向一側縁部を、前記化粧紙の端縁が紙基材の端縁より若干長く形成すると共に、この化粧紙の延長部分を切取り分離可能に構成したことを特徴とする壁紙。
【請求項２】  前記壁紙の切取り分離可能な延長部分と、この延長部分が切取られた壁紙の長手方向両側縁部とに、それぞれ導電性物質塗布層を形成することにより、壁紙と壁紙の継ぎ目に形成される導電性物質塗布層を、前記分離した延長部分に形成した導電性物質塗布層により被覆することを特徴とする請求項１記載の壁紙。
【請求項３】  請求項１記載の壁紙を使用し、この壁紙の紙継ぎに際し、一方の壁紙の前記粧紙の延長部分を切取ると共にその紙基材の一端と、他方の壁紙の紙基材の他端とを突き合わせ、前記一方の壁紙の化粧紙から切取り分離した延長部分により、壁紙と壁紙の継ぎ目を被覆することを特徴とする壁紙の貼着方法。
【請求項４】  請求項２記載の壁紙を使用し、この壁紙の紙継ぎに際し、一方の壁紙の前記粧紙の延長部分を切取ると共にその紙基材の一端と、他方の壁紙の紙基材の他端とを突き合わせ、前記一方の壁紙の化粧紙から切取り分離した延長部分により、壁紙と壁紙の継ぎ目を被覆することにより、前記導電性物質塗布層間を適正に導通接続することを特徴とする壁紙の貼着方法。
【請求項５】  所定幅の両面接着テープを設け、この両面接着テープ上と、この両面接着テープ上に貼着される壁紙の両側縁部とに、それぞれ導電性物質塗布層を形成し、前記両面接着テープ上に壁紙と壁紙の継ぎ目を貼着するように構成することを特徴とする壁紙。
【請求項６】  請求項５記載の壁紙を使用し、前記両面接着テープに形成した導電性物質塗布層に対し、壁紙と壁紙の継ぎ目に形成される導電性物質塗布層をそれぞれ貼着することにより、前記導電性物質塗布層間を適正に導通接続することを特徴とする壁紙の貼着方法。
【手続補正２】
【補正対象書類名】明細書
【補正対象項目名】０００１
【補正方法】変更
【補正の内容】
【０００１】
【発明の属する技術分野】
本発明は、建築物等の内壁面や天井面等に貼着する壁紙に係り、特に壁紙と壁紙の紙継ぎ部分において機能低下が予想される電磁波の遮蔽や電気的導通の遮断検知等の安全性および防犯効果を、より有効に達成することができるように改良した壁紙およびその貼着方法に関するものである。
【手続補正３】
【補正対象書類名】明細書
【補正対象項目名】０００５
【補正方法】変更
【補正の内容】
【０００５】
【発明が解決しようとする課題】
そこで、本発明者等は、鋭意研究並びに試作を重ねた結果、例えば紙基材と化粧紙とを積層した長尺シートからなる壁紙において、この壁紙の長手方向一側縁部を、前記化粧紙の端縁が紙基材の端縁より若干長く（約５ｍｍ程度）なるよう形成することにより、壁紙と壁紙の紙継ぎ部分で、一方の壁紙の延長された化粧紙部分を他方の壁紙の他側縁部の化粧紙上に重ね合せることができ、これにより紙基材は全く外部へ露呈させることなく、しかも化粧紙の重ね合せ部分の厚さも余り増大させることがなく、前述した従来の壁紙の目開きによる問題点を、一挙に解消することができることを突き止めた。
さらに、前記壁紙の他側縁部については、前記とは逆に紙基材の端縁が化粧紙の端縁より若干長く（約５ｍｍ程度）なるよう形成することにより、壁紙と壁紙の紙継ぎに際して、紙基材の継ぎ目と化粧紙の継ぎ目との位置をずらすことができ、紙基材の端縁を外部に露呈（外気と接触）させることなく、しかも化粧紙を相互に重ね合せることなく、壁紙の紙継ぎを達成することができ、従って壁紙の目開きを確実に防止できることも突き止めた。
【手続補正４】
【補正対象書類名】明細書
【補正対象項目名】０００６
【補正方法】変更
【補正の内容】
【０００６】
また、前記壁紙の一側縁部をその長手方向に沿って、前記化粧紙の端縁が紙基材の端縁より長く形成するに際し、その長さを壁紙と壁紙の紙継ぎ部分を十分に被覆し得るような寸法（約１ｃｍ程度）に設定し、しかもこの化粧紙の延長部分をミシン目等の切取り線を設けておくことにより、壁紙と壁紙の紙継ぎに際して、予め前記化粧紙の延長部分を切取り分離しておき、これを壁紙と壁紙の紙継ぎを行って貼着した部分の上方から、目開きとなる部分を完全に覆うように貼着することによっても、前述した従来の壁紙の目開きによる問題点を、解消することができることを突き止めた。
【手続補正５】
【補正対象書類名】明細書
【補正対象項目名】０００７
【補正方法】変更
【補正の内容】
【０００７】
さらに、前述した壁紙の一側縁部に対して、特別な設計を施すことなく、壁紙と壁紙の紙継ぎに際して、予め建築物等の内壁面や天井面等に対し、前記壁紙の紙継ぎ位置に対応して両面接着テープを貼着しておくことにより、前記両面接着テープの上に貼着される壁紙の紙基材の収縮移動を抑制することができ、これにより前述した従来の壁紙の目開きによる問題点を、解消することができることを突き止めた。
【手続補正６】
【補正対象書類名】明細書
【補正対象項目名】０００８
【補正方法】変更
【補正の内容】
【０００８】
そして、このような構成からなる壁紙を使用することにより、例えば前記化粧紙の端縁が紙基材の端縁より若干長く形成した延長部分を切取り分離可能に構成し、前記延長部分と、この延長部分が切取られた壁紙の長手方向両側縁部とに、それぞれ導電性物質塗布層を形成することにより、壁紙と壁紙の継ぎ目に形成される導電性物質塗布層を、前記分離した延長部分に形成した導電性物質塗布層により被覆することが可能となり、壁紙と壁紙の紙継ぎ部分において機能低下が予想される電磁波の遮蔽や電気的導通の遮断検知等の安全性および防犯効果を、より有効に達成することができることを突き止めた。
【手続補正７】
【補正対象書類名】明細書
【補正対象項目名】０００９
【補正方法】変更
【補正の内容】
【０００９】
従って、本発明の目的は、簡単な構成により壁紙と壁紙の紙継ぎ部分に発生する目開きを有効に防止することができると共に、壁紙と壁紙の紙継ぎ部分において機能低下が予想される電磁波の遮蔽や電気的導通の遮断検知等の安全性および防犯効果を、より有効に達成することができる壁紙およびその貼着方法を提供することにある。
【手続補正８】
【補正対象書類名】明細書
【補正対象項目名】００１０
【補正方法】変更
【補正の内容】
【００１０】
【課題を解決するための手段】
前記の目的を達成するため、本発明に係る壁紙は、紙基材と化粧紙とを積層してなる所定幅の長尺シートからなる壁紙において、この壁紙の長手方向一側縁部を、前記化粧紙の端縁が紙基材の端縁より若干長く形成すると共に、この化粧紙の延長部分を切取り分離可能に構成したことを特徴とする。
【手続補正９】
【補正対象書類名】明細書
【補正対象項目名】００１１
【補正方法】変更
【補正の内容】
【００１１】
また、本発明に係る壁紙は、前記壁紙の切取り分離可能な延長部分と、この延長部分が切取られた壁紙の長手方向両側縁部とに、それぞれ導電性物質塗布層を形成することにより、壁紙と壁紙の継ぎ目に形成される導電性物質塗布層を、前記分離した延長部分に形成した導電性物質塗布層により被覆することを特徴とする。
【手続補正１０】
【補正対象書類名】明細書
【補正対象項目名】００１２
【補正方法】変更
【補正の内容】
【００１２】
本発明に係る壁紙の貼着方法は、前記壁紙を使用して、この壁紙の紙継ぎに際し、一方の壁紙の前記粧紙の延長部分を切取ると共にその紙基材の一端と、他方の壁紙の紙基材の他端とを突き合わせ、前記一方の壁紙の化粧紙から切取り分離した延長部分により、壁紙と壁紙の継ぎ目を被覆することを特徴とする。
【手続補正１１】
【補正対象書類名】明細書
【補正対象項目名】００１３
【補正方法】変更
【補正の内容】
【００１３】
また、本発明に係る壁紙の貼着方法としては、前記壁紙を使用し、この壁紙の紙継ぎに際し、一方の壁紙の前記粧紙の延長部分を切取ると共にその紙基材の一端と、他方の壁紙の紙基材の他端とを突き合わせ、前記一方の壁紙の化粧紙から切取り分離した延長部分により、壁紙と壁紙の継ぎ目を被覆することにより、前記導電性物質塗布層間を適正に導通接続することを特徴とする。
【手続補正１２】
【補正対象書類名】明細書
【補正対象項目名】００１４
【補正方法】変更
【補正の内容】
【００１４】
さらに、本発明に係る壁紙は、所定幅の両面接着テープを設け、この両面接着テープ上と、この両面接着テープ上に貼着される壁紙の両側縁部とに、それぞれ導電性物質塗布層を形成し、前記両面接着テープ上に壁紙と壁紙の継ぎ目を貼着するように構成することを特徴とする。
【手続補正１３】
【補正対象書類名】明細書
【補正対象項目名】００１５
【補正方法】変更
【補正の内容】
【００１５】
この場合、前記壁紙を使用し、前記両面接着テープに形成した導電性物質塗布層に対し、壁紙と壁紙の継ぎ目に形成される導電性物質塗布層をそれぞれ貼着することにより、前記導電性物質塗布層間を適正に導通接続することを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１９
【補正方法】変更
【補正の内容】
【００１９】
【構成例１】
図１は、本発明に適用する壁紙１０の基本的な構成例を示す要部拡大平面図である。すなわち、図１において、参照符号１１は原紙ないしは裏打紙としての紙基材を示すと共に、参照符号１２は従来の壁紙等においても採用されている公知の印刷適性を有する化粧紙を示すものであり、これらの紙基材１１と化粧紙１２とは、従来公知の糊材を使用した貼り合せ法によって積層し、所定幅の長尺シートとして構成したものである。
【手続補正１７】
【補正対象書類名】明細書
【補正対象項目名】００２０
【補正方法】変更
【補正の内容】
【００２０】
なお、本構成例において、前記紙基材１１は、従来公知のセルロース繊維を主体として、必要に応じて合成繊維、無機繊維、合成パルプ等を適宜配合し、自己消火性填料、その他の填料、乾燥紙力増強剤、防カビ剤、着色剤、サイズ剤、定着剤等を適宜添加して抄紙することにより得ることができる。なお、セルロース繊維とは、公知の木材パルプを主体とし、麻、こうぞ、雁皮のジン皮繊維、コットンリンター、竹、藁等の非木材パルプ等を適宜混合したものであって、これらのセルロース繊維の単独あるいは混合物に、必要に応じて合成繊維、ガラス繊維、無機繊維、合成パルプ等の繊維物質を適宜配合して使用することができる。
【手続補正１８】
【補正対象書類名】明細書
【補正対象項目名】００２１
【補正方法】変更
【補正の内容】
【００２１】
しかるに、図１に示す構成例においては、壁紙１０の長手方向の一側縁部を、化粧紙１２の端縁が紙基材１１の端縁より若干長く（例えば、所定幅ｗ1＝５ｍｍ±２〜３ｍｍ延長）するよう設定したことを特徴とするものである。
【手続補正１９】
【補正対象書類名】明細書
【補正対象項目名】００２３
【補正方法】変更
【補正の内容】
【００２３】
【構成例２】
図３は、本発明に適用する壁紙１０の別の基本的な構成例を示す要部拡大平面図である。すなわち、本構成例においては、前記構成例１に記載の壁紙１０に対し、壁紙１０の長手方向の他側縁部を、紙基材１１の端縁が化粧紙１２の端縁より若干長く（例えば、所定幅ｗ2＝５ｍｍ±２〜３ｍｍ延長）するよう設定したものである。なお、説明の便宜上、図１に示す構成要素と同一の構成要素については、同一の参照符号を付して、その詳細な説明は省略する（以下の実施例についても同様とする）。
【手続補正２０】
【補正対象書類名】明細書
【補正対象項目名】００２５
【補正方法】変更
【補正の内容】
【００２５】
【実施例１】
図５の（ａ）、（ｂ）は、本発明に係る壁紙１０の具体的な一実施例を示す要部平面図および断面図である。すなわち、本実施例においては、壁紙１０の長手方向の一側縁部を、化粧紙１２の端縁が紙基材１１の端縁より長く（例えば、所定幅ｗ3＝１０ｍｍ±２〜３ｍｍ延長）するよう設定すると共に、この化粧紙１２の延長部分１４をミシン目等の切取り線１３を設けて分離可能に構成したものである。
【手続補正２１】
【補正対象書類名】明細書
【補正対象項目名】００２６
【補正方法】変更
【補正の内容】
【００２６】
このように構成した実施例１の壁紙は、前記化粧紙１２を切取って分離した延長部分１４を使用して、図６に示すように、壁紙１０Ａと壁紙１０Ｂとをそれぞれ端縁を突き合わせて貼着し、これにより形成された前記壁紙１０Ａ、１０Ｂの継ぎ目に対し、その上方から前記分離した延長部分１４を被覆するよう貼着したものである。このように構成することによっても、壁紙１０Ａ、１０Ｂ相互の目開きを有効に防止することができる。
【手続補正２２】
【補正対象書類名】明細書
【補正対象項目名】００２７
【補正方法】変更
【補正の内容】
【００２７】
【実施例２】
図７の（ａ）、（ｂ）は、図５および図６に示す本発明に係る壁紙１０の変形例を示す要部平面図および断面図である。すなわち、本実施例においては、前記実施例１における壁紙１０の切取り分離可能な延長部分１４と、この延長部分１４が切取られた壁紙１０の長手方向の両側縁部とに、それぞれ導電性物質塗布層１５を形成したものである。
【手続補正２３】
【補正対象書類名】明細書
【補正対象項目名】００２８
【補正方法】変更
【補正の内容】
【００２８】
このように構成した実施例２の壁紙１０は、図８に示すように、壁紙１０Ａと壁紙１０Ｂの継ぎ目に形成される導電性物質塗布層１５、１５を、前記分離した延長部分１４に形成した導電性物質塗布層１５により被覆して、前記導電性物質塗布層間を適正に導通接続することができ、これにより壁紙１０Ａ、１０Ｂ相互の目開きを防止することができると共に、その電気的機能を利用して電磁波を遮蔽したり電気的導通の遮断検知を行ったりして、安全性および防犯効果を高めた特殊用途の壁紙を提供することができる。
【手続補正２４】
【補正対象書類名】明細書
【補正対象項目名】００２９
【補正方法】変更
【補正の内容】
【００２９】
【実施例３】
図９の（ａ）、（ｂ）は、本発明に係る壁紙１０の他の実施例の貼着状態をそれぞれ示す要部平面図である。すなわち、本実施例においては、壁紙相互の目開きを防止することができる壁紙１０として、所定幅ｗ4（例えば、ｗ4＝１０ｍｍ±２〜３ｍｍ）の両面接着テープ１６を設け、この両面接着テープ１６を予め壁部２０の所定位置に貼着しておき、この両面接着テープ１６上に壁紙１０Ａと壁紙１０Ｂの継ぎ目を貼着するように構成したものである。このように構成することによっても、壁紙１０Ａ、１０Ｂ相互の目開きを有効に防止することができる。
【手続補正２５】
【補正対象書類名】明細書
【補正対象項目名】００３０
【補正方法】変更
【補正の内容】
【００３０】
【実施例４】
図１０は、図９に示す本発明に係る壁紙１０の変形例の貼着状態を示す要部平面図である。すなわち、本実施例においては、前記実施例３における両面接着テープ１６の上面に導電性物質塗布層１７を形成すると共に、この両面接着テープ１６に対向する壁紙１０の長手方向の両側縁部にそれぞれ導電性物質塗布層１８、１８を形成したものである。このように構成した実施例４の壁紙１０は、前記両面接着テープ１６に形成した導電性物質塗布層１７に対し、壁紙１０Ａと壁紙１０Ｂの継ぎ目に形成される導電性物質塗布層１８、１８を貼着して、前記導電性物質塗布層間を適正に導通接続することができ、これにより壁紙１０Ａ、１０Ｂ相互の目開きを防止することができると共に、その電気的機能を利用して電磁波を遮蔽したり電気的導通の遮断検知を行ったりして、安全性および防犯効果を高めた特殊用途の壁紙を提供することができる。
【手続補正２６】
【補正対象書類名】明細書
【補正対象項目名】図面の簡単な説明
【補正方法】変更
【補正の内容】
【図面の簡単な説明】
【図１】
本発明に適用する壁紙の基本的な構成例を示す要部平面図である。
【図２】
図１に示す壁紙の紙継ぎ部分の貼着状態を示す要部拡大断面図である。
【図３】
本発明に適用する壁紙の別の基本的な構成例を示す要部平面図である。
【図４】
図３に示す壁紙の紙継ぎ部分の貼着状態を示す要部拡大断面図である。
【図５】
本発明に係る壁紙の具体的な一実施例を示すものであって、（ａ）は要部平面図であり、（ｂ）は（ａ）のＢ−Ｂ断面図である。
【図６】
図５に示す壁紙の紙継ぎ部分の貼着状態を示す要部拡大断面図である。
【図７】
図５に示す本発明に係る壁紙の変形例を示すものであって、（ａ）は要部平面図であり、（ｂ）は（ａ）のＢ−Ｂ断面図である。
【図８】
図７に示す壁紙の紙継ぎ部分の貼着状態を示す要部拡大断面図である。
【図９】
本発明に係る壁紙の他の実施例を示すもので、（ａ）は壁紙の貼着準備状態を示す壁面等の要部平面図であり、（ｂ）は壁紙の紙継ぎによる貼着状態を示す要部平面図である。
【図１０】
図９に示す本発明に係る壁紙の変形例の貼着状態を示す要部平面図である。
【符号の説明】
１０  壁紙
１０Ａ  一方の壁紙
１０Ｂ  他方の壁紙
１１  紙基材（原紙、裏打紙）
１１ｂ  延長部分
１２  化粧紙
１２ａ  延長部分
１３  切取り線
１４  分離した延長部分
１５  導電性物質塗布層
１６  両面接着テープ
１７  導電性物質塗布層
１８  導電性物質塗布層
２０  壁部